(57)【要約】【課題】一般的な包装箱や容器に応用が可能であって、包装箱や容器のサイズ・形状を厳密に規定する必要がなく、また、それらを加工することなく包装された商品の回転を効果的に防止することができる物品支持体の提供。【解決手段】可撓性を有するシートを断面略コの字状に折り曲げて円柱形の物品を挟持する物品支持体であって、底板と、該底板の対向する長手辺に連設された一対の側板を備え、該側板には少なくとも前記長手辺から該側板の先端方向へ膨出するように開口が切り欠き形成され、前記長手辺の間隔が支持される物品の幅よりも狭く、前記開口部の前記長手辺における開口幅が支持される物品の幅よりも狭く、且つ、前記開口の先端部の間の幅は支持される物品の幅よりも広くなるように形成されていることを特徴とする物品支持体。【選択図】  図４
2017145010.tif 000002
【特許請求の範囲】
【請求項１】
可撓性を有するシートを断面略コの字状に折り曲げて円柱形の物品を挟持する物品支持体であって、底板と、該底板の対向する長手辺に連設された一対の側板を備え、該側板には少なくとも前記長手辺から該側板の先端方向へ膨出するように開口が切り欠き形成され、前記長手辺の間隔が支持される物品の幅よりも狭く、前記開口部の前記長手辺における開口幅が支持される物品の幅よりも狭く、且つ、前記開口の先端部の間の幅は支持される物品の幅よりも広くなるように形成されていることを特徴とする物品支持体。
【請求項２】
前記開口は、その上辺部分が円弧状に形成されていることを特徴とする請求項１に記載の物品支持体。
【請求項３】
前記一対の側板の長さが互いに異なることを特徴とする請求項１または２に記載の物品支持体。
【請求項４】
前記開口が前記一対の側板とその間の底板部分にかけて連続して形成されていることを特徴とする請求項１ないし３のいずれか１項に記載の物品支持体。
【請求項５】
前記底板には、前記側板に設けられた開口とは独立してさらに開口が形成されていることを特徴とする請求項１ないし３のいずれか１項に記載の物品支持体。
【請求項６】
前記底板の対向する短手辺に、さらに一対の側板が連設されていることを特徴とする請求項１ないし５のいずれか１項に記載の物品支持体。  
【発明の詳細な説明】
【技術分野】
【０００１】
本発明は、外箱や包装袋に入れられた円柱形状の物品の両側部および底部（天面）を挟持して、外箱内や包装袋内において該物品が回転しないように支持する物品支持体に関する。
【背景技術】
【０００２】
円柱形に形成された商品や、円筒状の容器に収納された商品など、円柱形状の物品を包装用の外箱や袋に入れて販売する場合、輸送中の振動などにより物品が外箱や袋の中で回転してしまい、外箱や袋と商品の向きがずれてしまうことが問題となっていた。
【０００３】
このような包装箱内における商品の回転を防ぐために、特許文献１には包装箱の内部に短繊維を植毛して、かかる植毛部分と商品との間の抵抗によって回転を防ぐ包装箱が開示されている。また、特許文献２には容器の表面部と裏面部とにより挟圧状に保持して回転を防ぐ包装容器が開示されている。さらに、特許文献３には収納される円筒容器の一部と該円筒容器を覆う外装部材の一部に非円筒形状部を形成し、包装時に両部を合致させることにより回転を防止する円筒容器の包装方法が開示されている。
【０００４】
しかしながら、特許文献１のものは、包装箱の一部に植毛加工が必要であり、また、商品と植毛部が常に当接するように包装箱のサイズ・形状も厳密に規定する必要があり、一般的な包装箱に汎用的に応用できるものではなかった。
【０００５】
また、特許文献２のものは、商品を挟圧状に保持するために包装箱の形状が特定されてしまい、直方体などの一般的な形状の包装箱に応用できるものではなかった。
【０００６】
さらに、特許文献３のものは、包装容器のみならず、包装される商品についても加工が必要となるため、一般的な包装箱及び商品に汎用的に応用できるものではなかった。
【先行技術文献】
【特許文献】
【０００７】
【特許文献１】特許第５５７７０３９号
【特許文献２】特開２００５−１８６９５８
【特許文献３】特開平１０−２０３５３５
【発明の概要】
【発明が解決しようとする課題】
【０００８】
そこで本発明は、一般的な包装箱や容器に応用が可能であって、包装箱や容器のサイズ・形状を厳密に規定する必要がなく、また、それらを加工することなく収納された物品の回転を効果的に防止することができる物品支持体の提供をその課題とするものである。
【課題を解決するための手段】
【０００９】
本発明は、上記課題を解決するものであり、可撓性を有するシートを断面略コの字状に折り曲げて円柱形の物品を挟持する物品支持体であって、底板と、該底板の対向する長手辺に連設された一対の側板を備え、該側板には少なくとも前記長手辺から該側板の先端方向へ膨出するように開口が切り欠き形成され、前記長手辺の間隔が支持される物品の幅よりも狭く、前記開口部の前記長手辺における開口幅が支持される物品の幅よりも狭く、且つ、前記開口の先端部の間の幅は支持される物品の幅よりも広くなるように形成されていることを特徴とする物品支持体である。
【発明の効果】
【００１０】
本発明にかかる物品支持体は、底板に連設された一対の側板を物品の側面にあてがうように略コの字状に折り曲げて物品を挟持し、物品の一部を側板に設けた開口から外側へ突出させ、開口の上辺部を周壁に強く押し付けることにより、物品の回転を効果的に防止することができる。
【００１１】
本発明にかかる物品支持体で一対の側板の長さが異なるものは、長い方の側板を把持して容器箱内に物品支持体を容易にセッティングすることができる。
【００１２】
本発明にかかる物品支持体で底板に開口が形成されているものは、物品底部に表示されたロットナンバーなどを容易に確認することが可能である。
【００１３】
さらに、本発明にかかる物品支持体で、前記底板の対向する短手辺に一対の側板が連設されているものは、袋状の包装体に物品を収納した場合に物品が左右へ傾くことにより物品支持体から外れたり、ずれたりすることを防ぐことができる。
【図面の簡単な説明】
【００１４】
【図１】本発明にかかる物品支持体の展開図
【図２】（ａ）本発明にかかる物品支持体により円柱状の物品を挟持した状態の正面図、（ｂ）同側面図、（ｃ）同底面図
【図３】本発明にかかる物品支持体により物品を挟持した状態の部分拡大断面図
【図４】本発明にかかる物品支持体により物品を挟持して包装箱内に収納する様子を表した斜視図
【図５】本発明にかかる物品支持体の異なる実施態様の展開図
【図６】本発明にかかる物品支持体のさらに異なる実施態様の展開図
【発明を実施するための形態】
【００１５】
以下、本発明の物品支持体の実施態様を、図面に基づいて具体的に説明する。なお、本発明はこれら実施態様に何ら制約されるものではない。
【００１６】
本発明に係る物品支持体１は、可撓性を有する１枚のシートから形成されており、底板１１と、該底板１１に連設された側板１２および側板１３を備える。可撓性を有するシートの材料は特に限定されないが、ポリプロピレン、ポリエチレン、ポリエチレンテレフタレート、ポリスチレン等の合成樹脂素材のシートや、厚紙、段ボール、合成紙等が好ましく、支持する物品の視認性を妨げないようにする場合は無色透明なものが好ましいが、これに着色して、半透明もしくは不透明にしてもよい。また、シートの厚みはシートの可撓性にもよるが、０．３〜１．５ｍｍが好ましい。
【００１７】
図１に示すように、本発明の物品支持体１は、物品の底部が載置される矩形の底板１１が中央に設けられ、該底板１１の対向する２つの長手辺１１１から物品の周壁にあてがわれる側板１２、１３が底板１１に対して略直角に折り曲げ可能に連設されている。側板１２、１３は長手辺１１１を起点として折り曲げ可能に形成してもよいが、長手辺１１１部分で折り曲げ可能とはせずに、長手辺１１１の近傍の側板１２、１３部分が撓むことにより折り曲げ可能としてもよい。
【００１８】
側板１２、１３にはそれぞれ開口１４が切り欠き形成されている。本実施態様における開口１４は、長手辺１１１の左右両側の一部を残した中央部分から略半円形に側板１２、１３の先端方向へとそれぞれ膨出するように形成されている。なお、開口１４の形状は本実施態様の半円形に限定されるものではなく、このほかに、側板１２、１３の先端方向へ膨出する半楕円形、山型、かまぼこ形等でもよい。また、開口１４の上辺部分は一定の曲率の円弧状に形成することが好ましい。かかる曲率は特に限定はされないが、物品を支持したときに、物品の周壁に一定の長さで接するように形成することが好ましい。  
【００１９】
図１中、二点鎖線は支持される物品２の底部の輪郭を示す。図に示すように、底板１１は、長手辺１１１の間の幅Ｗ１が物品２の幅（直径）よりも狭くなるように形成されている。また、開口１４は、長手辺１１１における開口幅Ｗ２が物品２の幅（直径）よりも狭くなるように形成されている。さらに、側板１２、１３の先端方向に最も突出した開口１４の先端部の間の幅Ｗ３は、物品２の幅（直径）よりも広くなるように形成されている。なお、かかる底板１１の幅Ｗ１、開口１４の開口幅Ｗ２、Ｗ３は、上記の条件内であれば、物品２の直径に応じ適宜設定することができる。
【００２０】
図２は、本実施態様の物品支持体１により円柱状の物品２を支持した状態を示す。なお、本実施態様の物品支持体１では、一方の側板（本態様では側板１２）を他方の側板（本態様では側板１３）よりも短くなるように形成している。このように２つの側板の長さを変えることにより、物品２の正面側に短い側板１２、背面側に長い側板１３を配置することができる。これにより、側板１２により物品２の正面の表示部分（商品名、ブランド名、メーカー名、成分表示等）の視認が妨げられることがなく、また、側板１３により包装箱内への物品支持体１のセッティングも容易となる。
【００２１】
物品２を物品支持体１により支持するには、物品支持体１の底板１１に物品２の底部２１を載置し、側板１２、１３をそれぞれ長手辺１１１近傍で上方へ折り曲げて物品２の正面及び背面にあてがうようにして略コの字形状を形成し、その間で物品２を挟持すればよい。
【００２２】
上述のように、底板１１は物品２の底部２１の幅よりも狭く形成されているため、図２の状態で側板１２、１３を上方へ折り曲げたとき、開口１４からは物品２の底部２１と周壁２２の一部が外部に露出し、開口１４の外側へ突出した状態となる。より詳しくは、底板１１から上方へ側板１２、１３を折り曲げるように力を加えたとき、長手辺１１１は物品２の底部２１の外縁部分よりも内側を通るように形成されているため、側板１２、１３は長手辺１１１において直ちに上方へ折り曲がることなく、長手辺１１１から円弧を描いて撓みながら上方へ折り曲げられる。このとき、円弧状に撓んだ側板１２、１３部分に開口１４が位置するため、正面側と背面側の底部２１の一部と、該底部２１と連続する周壁２２の一部が開口１４から露出する。
【００２３】
図３は、包装箱３内で物品２を支持した状態における開口１４付近の拡大断面図である。物品支持体１は可撓性を有するシートから形成されており、図のように側板１２を上方へ折り曲げると、シートには元の平坦な状態に復元しようとする力が働く。このため、側板１２や底板１１は包装箱３の内壁に対して押し付けられた状態となる一方、折り曲げられている開口１４付近では、物品２方向への押圧が働く。
【００２４】
この状態において、物品２の一部が開口１４から外側へ突出することにより、開口１４の上辺部が周壁２２に強く押し付けられる。そして、開口１４は上部に膨出すように形成されているため、かかる上辺部は物品２の周壁２２に沿って一定の長さで密接する。このように、開口１４の上辺部と物品２の周壁２２が圧接することで両者の間に摩擦抵抗が働き、物品２の回転を効果的に防ぐことが可能となる。
【００２５】
以上のとおり、本発明の物品支持体１はシートの可撓性と復元力を利用して物品２を支持し、摩擦抵抗を利用して物品２の回転を効果的に防止するものであるため、かかる可撓性、復元力および摩擦抵抗が働く範囲内であれば、支持される物品２のサイズや形状、また、支持された物品２を収納する包装体の種類や形状、サイズ等は限定されない。  
【００２６】
図４は、本発明の物品支持体１の使用態様のひとつである。図に示すように、円柱状の物品２を包装箱３内に収納する際、物品支持体１により物品２を底部２１側から略コの字状に挟持し、その状態のまま、包装箱３内に収納すればよい。または、図３の態様のように、一方の側板が他の側板よりも長く形成されている場合は、かかる長い方の側板を指で把持し、物品支持体１のみを包装箱３内にセッティングし、後から物品２を収納してもよい。なお、本実施態様では箱状の包装体に収納しているが、本発明の物品支持体１は包装箱に収納される物品に限らず、例えば、袋状の包装体に収納される物品についても同様に使用することが可能である。
【００２７】
図５は、本発明の物品支持体１の異なる実施態様を示す。図に示すように、本実施態様の物品支持体１は、基本的な構成は図１の実施態様のものと共通するが、開口１４が側板１２、１３と、その間の底板１１部分にかけて連続して形成されている点において相違する。このように、開口１４を側板１２、１３から底板１１にかけて連続的に設けることにより、物品２の底部２１が物品支持体１に支持された状態で視認可能となり、底部２１に表示されたロットナンバーなどを容易に確認することが可能となる。
【００２８】
図６は、本発明の物品支持体１のさらに異なる実施態様を示す。図に示すように、本実施態様の物品支持体１は、側板１２、１３に加え、底板１１の短手辺１１２から一対の側板１５、１６が連設されている。さらに、底板１１には、側板１２、１３の開口１４１と略同一の開口幅で開口１４２が独立して設けられている。
【００２９】
本実施態様の物品支持体１は、側板１２、１３に加え、側板１５、１６を上方へ折り曲げることにより、物品２の下部を前後左右から支持可能となり、内部で物品２の動きがある程度許容される袋状の包装体に収納した場合も、物品２が主に左右へ傾くことにより物品支持体１から外れたり、ずれたりすることを防ぐことができる。また、底板１１の開口１４２を側板１２、１３の開口１４１とは独立して設けることで、底部２１の視認性と物品支持体１の強度を両立することができる。
【産業上の利用可能性】
【００３０】
本発明の物品支持体１は、円柱状の各種物品の支持体として利用することが可能であり、具体的には、化粧品、医薬品、食品製品やその他の日用品、電気製品等の商品の支持体としての利用が可能である。
【符号の説明】
【００３１】
１  …  …  物品支持体
２  …  …  物品
３  …  …  包装箱
１１  …  …  底板
１２  …  …  側板
１３  …  …  側板
１４  …  …  開口
１５  …  …  側板
１６  …  …  側板
２１  …  …  底部
２２  …  …  周壁
１１１  …  …  長手辺
１１２  …  …  短手辺
１４１  …  …  開口
１４２  …  …  開口
Ｗ１  …  …  底板の長手辺間の幅
Ｗ２  …  …  開口の長手辺における開口幅
Ｗ３  …  …  開口の先端部の間の幅
【図１】
2017145010.tif 000003
【図２】
2017145010.tif 000004
【図３】
2017145010.tif 000005
【図４】
2017145010.tif 000006
【図５】
2017145010.tif 000007
【図６】
2017145010.tif 000008